(57)【要約】      （修正有）【課題】健康関連の問題の有効な管理のための健康データのログを取得するシステム及び方法を提供する。【解決手段】システム１０は、測定装置１００及び外部処理装置２００を含む。外部処理装置２００は、測定装置１００から測定値（例えば血糖濃度）を受信し、健康管理アプリケーションを実行する。健康管理アプリケーションは、ユーザインタフェースを介して、１つ以上の測定値と関連した補足的な健康データを表示し、１つ以上の測定値と関連した補足的な健康データ（血糖データ、任意の補足的な健康データ）を受ける。健康管理アプリケーションにより、ユーザは、アドヒアランスバースト指示、測定及びロギング処方、事後ロギング並びに／又は電子カレンダ付きのデータ表示に従って補足的なデータを入力することが可能となる。健康管理アプリケーションは、測定を行いこれらの特性に従って補足的なデータを入力するようにユーザに指示する。【選択図】図１
2020184379.tif 000002
【特許請求の範囲】
【請求項１】
健康特徴の測定を行うように構成された測定装置と；
測定装置から測定値を受信し、少なくとも１つのメモリ装置、プロセッサ、及びユーザインタフェースを含む、測定装置に通信で結合された処理装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、処理装置と、
を含む糖尿病管理のためのシステムであって、
少なくとも１つのメモリ装置が、処方又はスケジュールを記憶し、健康管理アプリケーションが、処方又はスケジュールに従って測定を行い補足的な健康データを入力するようにユーザに指示する、
システム。
【請求項２】
少なくとも１つのメモリ装置が、スケジュールを記憶し、健康管理アプリケーションが、スケジュールに従って測定を行い補足的な健康データを入力するようにユーザに指示する、請求項１に記載のシステム。
【請求項３】
少なくとも１つのメモリ装置が、日付を記憶し、スケジュールが、日付に基づき日付の前までの期間定められる、請求項２に記載のシステム。
【請求項４】
日付が、健康管理提供者との予約に関する、請求項３に記載のシステム。
【請求項５】
少なくとも１つのメモリ装置が、スケジュールを記憶するシステムであって、少なくとも１つのメモリ装置が、複数の先行測定値を記憶して、スケジュールが、複数の先行測定値に基づいて定められる、請求項１に記載のシステム。
【請求項６】
少なくとも１つのメモリ装置が、処方を記憶し、処方が、日付、時間、事象、又はこれらの組み合わせに従って定められる、請求項１に記載のシステム。
【請求項７】
事象が、身体活動、薬物摂取量、炭水化物摂取量、又は任意のこれらの組み合わせを含む、請求項６に記載のシステム。
【請求項８】
測定装置が、処理装置と無線で通信する、請求項１に記載のシステム。
【請求項９】
処理装置が、スマートデバイスであり、健康管理アプリケーションが、モバイルアプリケーションである、請求項８に記載のシステム。
【請求項１０】
健康特徴の測定値が、血糖濃度である、請求項１に記載のシステム。
【請求項１１】
健康特徴の測定を行うように構成された測定装置と；
測定装置から測定値を受信し、少なくとも１つのメモリ装置、プロセッサ、及びユーザインタフェースを含む、測定装置に通信で結合された処理装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、処理装置と、
を含む糖尿病管理のためのシステムであって、
少なくとも１つのメモリ装置が、複数の先行測定値を記憶して追加の補足的な健康データの事後登録のための１つ以上の先行測定値を特定し、健康管理アプリケーションが、事後に追加の補足的な健康データを登録するようにユーザに指示する、
システム。
【請求項１２】
健康特徴の測定を行うように構成された測定装置と；
測定装置から測定値を受信し、少なくとも１つのメモリ装置、プロセッサ、及びユーザインタフェースを含む、測定装置に通信で結合された処理装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、処理装置と、
を含む糖尿病管理のためのシステムであって、
少なくとも１つのメモリ装置が、複数の先行測定値を記憶し、健康管理アプリケーションが、複数の先行測定値の分析に従って測定を行い補足的な健康データを入力するようにユーザに指示する、
システム。
【請求項１３】
健康特徴の測定を行うように構成された測定装置と；
測定装置から測定値を受信し、少なくとも１つのメモリ装置、プロセッサ、及びユーザインタフェースを含む、測定装置に通信で結合された処理装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、処理装置と、
を含む糖尿病管理のためのシステムであって、
少なくとも１つのメモリ装置が、カレンダアプリケーションのためのコンピュータ可読命令及び対応するカレンダデータを記憶し、プロセッサが、カレンダアプリケーションを実行し、健康管理アプリケーションが、カレンダデータに基づいて補足的な健康データを入力するようにユーザに指示する、
システム。
【請求項１４】
健康管理アプリケーションが、補足的な健康データを入力するようにユーザに指示するときに、ユーザインタフェースを介して、ユーザによるアクセスのためのカレンダデータを表示する、請求項１３に記載のシステム。
【請求項１５】
測定装置が、処理装置と無線で通信する、請求項１３に記載のシステム。
【請求項１６】
処理装置が、スマートデバイスであり、健康管理アプリケーションが、モバイルアプリケーションである、請求項１５に記載のシステム。
【請求項１７】
健康特徴の測定値が、血糖濃度である、請求項１３に記載のシステム。
【請求項１８】
ネットワークを介して処理装置に通信で結合された外部サーバを更に含み、外部サーバが、コンピュータ可読命令を少なくとも１つのメモリにおける記憶のために健康管理アプリケーションに提供する、請求項１３に記載のシステム。
【請求項１９】
少なくとも１つのメモリ装置、プロセッサ、及びユーザインタフェースを含む、健康特徴の測定を行うように構成された測定装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、測定装置と、
を含む機器であって、
少なくとも１つのメモリ装置が、処方又はスケジュールを記憶し、健康管理アプリケーションが、処方又はスケジュールに従って測定を行い補足的な健康データを入力するようにユーザに指示する、
機器。
【請求項２０】
少なくとも１つのメモリ装置、プロセッサ、及びユーザインタフェースを含む、健康特徴の測定を行うように構成された測定装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、測定装置と、
を含む機器であって、
少なくとも１つのメモリ装置が、複数の先行測定値を記憶して追加の補足的な健康データの事後登録のための１つ以上の先行測定値を特定し、健康管理アプリケーションが、事後に追加の補足的な健康データを入力するようにユーザに指示する、
機器。
【請求項２１】
少なくとも１つのメモリ装置、プロセッサ、及びユーザインタフェースを含む、健康特徴の測定を行うように構成された測定装置であり、少なくとも１つのメモリ装置が、１つ以上の測定値及び健康管理アプリケーションのためのコンピュータ可読命令を記憶し、プロセッサが、健康管理アプリケーションを実行し、健康管理アプリケーションが、ユーザインタフェースを介して、１つ以上の測定値と関連した補足的な健康データを表示し、１つ以上の測定値と関連した補足的な健康データを受ける、測定装置と、
を含む機器であって、
少なくとも１つのメモリ装置が、複数の先行測定値を記憶し、健康管理アプリケーションが、複数の先行測定値の分析に従って測定を行い補足的な健康データを入力するようにユーザに指示する、
機器。
【発明の詳細な説明】
【技術分野】
【０００１】
関連出願の相互参照
本出願は、２０１４年９月１０日出願の米国特許仮出願第６２／０４８, ６４６号の利益及び優先権を主張し、その全体が参照により本明細書に組み込まれる。
【０００２】
分野
本発明は、一般に、健康関連の問題の管理に関する。より詳細には、本発明は、糖尿病を含む、健康関連の問題の有効な管理のための健康データのログを取得するシステム及び方法を目的とする。
【０００３】
背景
体液中の検体の定量は、一定の生理的状態の診断及び維持において非常に重要である。例えば、糖尿病を有する人（ＰＷＤ）は、体液中の糖値を頻繁にチェックする。このような試験の結果は、食事中の糖分摂取量を調整するために、及び／又はインスリン若しくは他の薬物を投与する必要があるかを決定するために使用され得る。ＰＷＤは、通常、ＰＷＤからの流体試料中の糖濃度を算出する測定装置（例えば血糖計）を使用し、流体試料は、測定装置によって受けられる試験センサ上に捕集される。
【０００４】
概要
本発明の態様は、健康関連の問題（例えば糖尿病）の有効な管理のための健康データのログを取得するシステム及び方法を提供する。特に、実施形態は、アドヒアランスバースト指示、測定及びロギング処方、事後ロギング、並びに／又は電子カレンダ付きのデータ表示に従ってデータを収集する健康管理アプリケーションを利用する。
【０００５】
一実施形態によれば、糖尿病管理のためのシステムは、健康特徴の測定を行うように構成された測定装置と、測定装置に通信で結合された処理装置と、を含む。処理装置は、測定装置から測定値を受信する。処理装置は、少なくとも１つのメモリ装置、プロセッサ、及びユーザインタフェースを含む。少なくとも１つのメモリ装置は、１つ以上の測定値及び健康管理アプリケーションのためのコンピュータ可読命令を記憶する。プロセッサは、健康管理アプリケーションを実行する。健康管理アプリケーションは、ユーザインタフェースを介して、１つ以上の測定値と関連した補足的な健康データを表示し、１つ以上の測定値と関連した補足的な健康データを受ける。健康管理アプリケーションにより、ユーザは、アドヒアランスバースト指示、測定及びロギング処方、事後ロギング、並びに／又は電子カレンダ付きのデータ表示に従って補足的なデータを入力することが可能となる。健康管理アプリケーションは、測定を行いこれらの特性の多様な態様に従って補足的なデータを入力するようにユーザに指示することができる。
【０００６】
別の実施形態では、少なくとも１つのメモリ装置は、複数の先行測定値を記憶して追加の補足的な健康データの事後登録のための１つ以上の先行測定値を特定し、健康管理アプリケーションは、事後に追加の補足的な健康データを登録するようにユーザに指示する。少なくとも１つのメモリ装置は、複数の先行測定値を記憶することができ、健康管理アプリケーションは、複数の先行測定値の分析に従って測定を行い補足的な健康データを入力するようにユーザに指示する。少なくとも１つのメモリ装置は、カレンダアプリケーションのためのコンピュータ可読命令及び対応するカレンダデータを記憶することができ、プロセッサは、カレンダアプリケーションを実行し、健康管理アプリケーションは、カレンダデータに基づいて補足的な健康データを入力するようにユーザに指示する。
【０００７】
更なる実施形態では、機器は、健康特徴の測定を行うように構成された測定装置を含む。測定装置は、少なくとも１つのメモリ装置、プロセッサ、及びユーザインタフェースを含む。少なくとも１つのメモリ装置は、１つ以上の測定値及び健康管理アプリケーションのためのコンピュータ可読命令を記憶する。プロセッサは、健康管理アプリケーションを実行し、健康管理アプリケーションは、ユーザインタフェースを介して、１つ以上の測定値と関連した補足的な健康データを表示し、１つ以上の測定値と関連した補足的な健康データを受ける。少なくとも１つのメモリ装置は、処方又はスケジュールを記憶し、健康管理アプリケーションは、処方又はスケジュールに従って測定を行い補足的な健康データを入力するようにユーザに指示する。
【０００８】
本発明の更なる他の態様、特性、及び利点は、本発明を実行するために考慮された最良の形態を含む、多数の例示的な実施形態及び実施例を示すことによって、以下の詳細な説明から容易に明らかとなる。本発明はまた、他の異なる実施形態が可能であり、そのいくつかの詳細は、すべて本発明の趣旨及び範囲から逸脱することなく、様々な点で修正され得る。したがって、図面及び説明は、実際に例示的なものであり、制限的なものではないとみなされるべきである。本発明は、本発明の趣旨及び範囲内にあるすべての修正物、等価物、及び代替物を網羅するものである。
【図面の簡単な説明】
【０００９】
【図１】本発明の態様による効果的な糖尿病管理のために使用され得る糖尿病を有する人（ＰＷＤ）が健康データのログを取得するのを支援するシステムの例を示す。
【図２】図１のシステムの例の一実施形態を例示する。
【図３】本発明の態様による、アドヒアランスバースト指示のための方法の例を示す。
【図４】本発明の態様による、測定及びロギング処方を利用する方法の例を示す。
【図５】本発明の態様による、事後ロギングを利用する方法の例を示す。
【図６Ａ】本発明の態様による、電子カレンダ付きの血糖データの表示の例を示す。
【図６Ｂ】本発明の態様による、電子カレンダ付きの血糖データの表示の例を示す。
【発明を実施するための形態】
【００１０】
発明の詳細な説明
健康関連の問題（例えば糖尿病）の管理は、処置計画を提供するために、記録された血糖データを分析することを伴う場合がある。ＰＷＤのための処置計画は、食事の炭水化物摂取量を調整すること、インスリン又は他の薬物の摂取療法を実施することを含む。処置計画の提供を改善するために、本発明の態様によるシステム及び方法により、糖尿病を有する人はより有効な糖尿病管理のための健康データのログを取得することが可能となる。健康データは、ＰＷＤが血糖計によって測定を行った血糖測定値を含むことができる。健康データはまた、記録された血糖データの理解を向上させる追加的な補足情報を含むことができる。例えば、ＰＷＤは、彼（女）の身体の状態、行動、最近の活動、及び特定の血糖データを説明することができる健康関連の事象に関する補足的な健康データのログを取得することができる。ＰＷＤは、特定の血糖測定値に関係する最近のインスリン摂取量、炭水化物摂取量、身体活動（例えば運動）、及び一般的な健康（例えば、病気、疲労など）に関する任意の情報のログを取得することができる。各々の記録された血糖測定値は、ログを取得された補足的な健康データと、例えばタイムスタンプを介して、関連付けられ得る。いくつかの場合には、血糖データは、自動で又は手動でログを取得され得るが、補足的な健康データは、ＰＷＤによって手動でログを取得される。
【００１１】
処置計画を提供するときに、医療提供者（ＨＣＰ）は、多量の健康データを検討することが有用であると感じており、健康データは、長期間にわたって頻繁に行われる血糖の測定の測定値のためにログを取得される。しかしながら、ＰＷＤが、長期間各々の血糖測定値の要因を詳述する多量のデータのログを取得することは大きな負担となる。この現実を考慮に入れ、本発明の態様は、有効な処置計画を提供するために十分な情報を提供するがＰＷＤの側の労力の量及び不便さを最小化する健康データのログを取得するシステム及び方法を提供する。
【００１２】
特に、実施形態は、以下の特性のうちの１つ以上を含む：
（１）アドヒアランスバースト指示：実施形態は、所定の期間、頻繁に血糖の測定を行い及び補足的な健康データのログを取得するようにＰＷＤに指示することができる。例えば、ＰＷＤは、ＨＣＰを訪問する直前の期間（例えば約２週間）血糖データ及び／又は補足的な健康データのロギングを増加させることができる。この短い期間の詳細及び頻繁な健康データのログを取得することによって、ＰＷＤは、血糖データ、身体の状態、行動（生活週間）、活動、及びＰＷＤが他の時間に通常経験する健康関連の事象を表す健康データのセットを提供する。しかしながら、ＰＷＤは、負担となる不便なレベルの測定及びロギングを数カ月間実行することを要求されない。換言すれば、この特性は、ＨＣＰがＰＷＤのための処置計画を提供、検討、及び／又は改定することを可能にする詳細なスナップショットをＨＣＰに提供する。アドヒアランスバースト指示に従って収集された健康データはまた、他の時間にログを取得された健康データによって分析され得る。
（２）測定及びロギング処方：実施形態は、ＨＣＰによって決定された特定の試験／ロギング処方に従って血糖の測定を行い一定の健康データのログを取得するようにＰＷＤに指示することができる。試験／ロギング処方は、測定値及び／又は一定の補足的な健康データのロギングがＨＣＰによる分析のための重大な情報内容を提供する時間及び／又は事象を特定する。例えば、ＰＷＤが新しいインスリン療法を採用している場合に、ＨＣＰがインスリン療法を評価することができるように、ＰＷＤは、食前及び食後すぐに測定を行い対応するインスリン及び炭水化物摂取量のログを取得するように指示され得る。別の例として、ＰＷＤが夜間低血糖で苦労している場合に、ＰＷＤは、晩御飯の間の炭水化物摂取量のログを取得し就寝時に測定を行うように指示され得る。更に別の例では、ＰＷＤがイヌリン又は他の薬物の服用を記憶することに苦労している場合に、ＰＷＤは、このような薬物を服用するためのリマインダを受信することができる。他の試験／ロギング処方が測定及び／又はロギングに対する他の要求を定めることができることが企図される。一般に、試験／ロギングパターンは、特定のＰＷＤにとって重要である健康データを収集するように合わせられる。
（３）事後ロギング：実施形態は、ＰＷＤが健康データのログを事後に取得することを可能にすることによって、利便性及び効率を向上させることができる。換言すれば、ＰＷＤは、測定を行う時に健康データ（特に補足的な健康データ）を提供することを要求されない。むしろ、ＰＷＤは、後の都合のいい時に健康データのログを取得することができる。例えば、ＰＷＤに自由な時間があるときに、例えば飛行機に搭乗するために空港ゲートで待つ間に、事後ロギングは達成され得る。いくつかの場合には、実施形態は、更に血糖データを説明するために補足的な情報のログが取得されることを必要とする一定の血糖データを能動的に特定することができる。このように、ＰＷＤは、血糖データを分析するために有用な情報を特に提供することができる補足的な健康データを、一定の血糖データのために、提供するように能動的に指示され得る。特に、健康データは、事象、異常、及び他の対象の血糖データを特定するために、及び血糖データのための追加的な健康データのログを事後に取得するようにユーザに指示するために、分析され得る。例えば、記録された血糖データにおいて朝の低血糖事象が特定される場合に、ＰＷＤは、事象に関する追加的な健康データ、例えば、前の晩からの食事、インスリン用量、又は運動に関する情報、のログを取得するように指示され得る。いくつかの場合には、指示されるときに、ＰＷＤは、特定された血糖データのための可能性のある説明の所定のリストから任意に利便性高く選択することができる。
（４）電子カレンダ付きのデータ表示：実施形態は、補足情報を提供する際に役立つようにＰＷＤが彼（女）のパーソナル電子カレンダに記憶された情報を使用することを可能にする。多くの人々が電子カレンダを使用して日々の活動を定期的にスケジュールに入れ追跡しており、電子カレンダは、多くの電子装置（例えばスマートデバイス）上で広く利用可能である。したがって、補足的な健康のログを取得する利便性を向上させるために、実施形態は、ＰＷＤが彼（女）の電子カレンダからの情報と共に血糖データを視認することを可能にする。実施形態は、オーバレイとして電子カレンダ上に血糖データをグラフィック表示することができる。代替的に、実施形態は、並列に血糖データを表示することができる。実施形態はまた、（例えば、テキスト及び／又は記号による）カレンダ項目の利便性の高いマークが、容易に特定され、かつ対応する血糖データ（適切な日付、及びタイムスタンプ）と対にされることを可能にし得る。例えば、ＰＷＤは、スケジュールに入れられたトレーニング、休日の食事、旅行、及びストレスが生じる可能性のある事象（例えば、重要な仕事の締切など）に関するカレンダ項目と共に血糖データをマークすることができる。例として、カレンダ項目は、項目を血糖測定値と関連付けるためにハッシュタグによってマークされ得る。
【００１３】
本実施形態は、ＰＷＤが、対応する血糖データの情報内容及び値を増加させる補足的な健康データのログを効率的に取得することを可能にする。実施形態は、健康データの標的ロギングを可能にする。加えて、実施形態は、ＰＷＤが最適化されたロギングで多くの情報（最小の労力で良好な情報）を提供することを可能にする。更にまた、実施形態は、ＨＣＰが、処置計画を提供して生活習慣の変化を勧める必要がある健康データを収集するために試験及びロギングを手引きすることを可能にする。健康データの収集を効率的で利便性の高いものにすることによって、ＰＷＤは、より正確な分析及び有効な処置をもたらす健康データを提供するように後押しされる。
【００１４】
図１は、上で説明された特性を実施する例示的なシステム１０を示す。システム１０は、測定装置１００及び外部処理装置２００を含む。特に、測定装置１００は、アナログフロントエンド１０２、測定インタフェース（例えば、電気化学的又は光学的測定）１０３、メインマイクロコントローラ１０４、メモリ１０５、無線マイクロコントローラ１０６、及びアンテナ１０７を含む。
【００１５】
アナログフロントエンド１０２は、測定インタフェース１０３に結合され、測定インタフェース１０３は、直接又は間接的に流体試料を受けるためにハードウェアを含む。いくつかの実施形態では、例えば、測定装置１００は、流体試料中の検体の濃度を測定する。流体試料としては、例えば、全血試料、血清試料、血漿試料、ＩＳＦ（間質液）のような他の体液、唾液、及び尿、並びに非体液を挙げることができる。分析され得る検体としては、糖分、脂質プロファイル（例えば、コレステロール、トリグリセリド、ＬＤＬ、及びＨＤＬ）、微量アルブミン、ヘモグロビンＡ１Ｃ、果糖、乳酸、又はビリルビンが挙げられる。一般に、本発明の態様は、例えば検体濃度、酵素及び電解質活性、抗体価などの、試料の１つ以上の特徴を測定するために利用され得る。したがって、本明細書において説明される例は血糖濃度の測定に関するが、本発明の態様が任意の種類の健康データ収集のために利用され得ることが理解される。
【００１６】
いくつかの実施形態では、測定インタフェース１０３は、直接流体試料を受けるように構成された試験センサ（図示せず）を受けるポートを含む。例えば、ユーザは、皮膚表面で血液試料を生成するために、突刺装置を利用して指又は身体の他の領域を穿刺することができる。次いで、ユーザは、試料と接触して試験センサを配置することによってこの血液試料を捕集することができる。試験センサは、試料中の検体の濃度を指示するために、試料と反応する試薬を収容する。試験センサと連動して、測定インタフェース１０３は、反応をアナログフロントエンド１０２に測定させることが可能である。
【００１７】
いくつかの場合には、試験センサは、電気化学的試験センサであり得る。電気化学的試験センサは、通常、複数の電極と、流体試料を受け、かつ電極パターンのコンポーネントによって電気化学的に測定可能な電流を生成する化学種に流体試料（例えば血液）中の対象検体（例えば糖分）を転換する適切な試薬（単数又は複数）（例えば酵素（単数又は複数））を含んだ、流体受け領域と、を含む。このような場合、測定インタフェース１０３は、アナログフロントエンド１０２を試験センサの電極に結合させることが可能で、アナログフロントエンド１０２は、それぞれの測定インタフェース１０３から生信号を受ける。
【００１８】
他の場合には、試験センサは、光学的試験センサであり得る。光学的試験センサシステムは、検体濃度を測定するための、透過分光法、拡散反射率、又は蛍光分光法などの、技術を使用することができる。例えば、試薬と検体との間の反応が試料の色を変化させるので、指示試薬システムと体液試料中の検体とは、染色反応を発生させるように反応することができる。変色の程度は、体液中の検体濃度を指示する。試料の変色は、透過光の吸光度レベルを測定するために、評価され得る。このような場合、測定インタフェース１０３は、試験センサ上の流体試料によって吸収された光及び反射された光に基づく生の光信号を受けるように、光を試験センサ及びアナログフロントエンド１０２に透過させることが可能である。
【００１９】
一般に、アナログフロントエンド１０２は、少なくとも１つの測定インタフェース１０３を介して受けられる流体試料の特徴（単数又は複数）を測定するために利用される。任意の数の測定インタフェース１０３（電気化学的、光学的など）が、任意の種類の測定データに変換され得る任意の種類の生信号を得るために、アナログフロントエンド１０２に結合され得ることが理解される。
【００２０】
また、アナログフロントエンド１０２に結合されて、メインマイクロコントローラ１０４は、下で更に説明されるように測定装置１００の操作態様を制御する。例えば、メインマイクロコントローラ１０４は、電気化学的又は光学的実測を行う方法、及び生の電気化学的又は光信号をアナログフロントエンド１０２がそれぞれの測定インタフェース１０３から得る方法を決定する測定シーケンスを管理することができる。加えて、メインマイクロコントローラ１０４は、アナログフロントエンド１０２が受けた生信号を、例えばディスプレイにより、ユーザに通信され得る最終的な測定値（例えば、１デシリットル当たりのミリグラム（mg/dL）として表される血糖濃度）に計算シーケンスによって変換する方法を決定することができる。アナログフロントエンド１０２及びメインマイクロコントローラ１０４は図１において別々に示されるが、代替的な実施形態におけるメインマイクロコントローラ１０４は、少なくとも１つの測定インタフェース１０３を介して受けられる流体試料の特徴（単数又は複数）を測定するために十分なアナログフロントエンドを含むことができることが企図される。加えて、図１に示されるメインコントローラ１０４は、任意の数及び構成の処理ハードウェアと、測定装置１００の操作を管理するために必要とされる関連コンポーネントとに一般に相当し得ることが企図される。
【００２１】
メモリ１０５（例えば不揮発性メモリ）としては、任意の数の記憶装置（例えば、ＥＥＰＲＯＭ、フラッシュメモリなど）を挙げることができる。メモリ１０５は、測定データを記憶することができる。加えて、メモリ１０５は、測定装置２００の他のコンポーネントの操作において利用される、例えば、ファームウェア、ソフトウェア、アルゴリズムデータ、プログラムパラメータ、患者の登録（ログを取得された）データ、較正データ、ルックアップテーブルなどの、データを記憶することができる。
【００２２】
図１に更に例示されるように、測定装置１００はまた、測定装置１００が無線で外部処理装置２００と通信することを可能にするアンテナ１０７を含む。図２に示されるように、例えば、外部処理装置２００は、上で説明された試験／ロギング特性を提供するために測定装置１００と対にされ得るモバイルアプリケーションを含んだ、スマートフォンなどの、スマートデバイスであり得る。他の実施形態では、外部処理装置２００は、タブレット型コンピュータ、携帯又はポケットパーソナルコンピュータ、携帯情報端末（ＰＤＡ）、デスクトップ若しくはラップトップパーソナルコンピュータ（ＰＣ）、又は任意のオペレーティングシステム及び通信機能を利用する他の類似の処理／通信装置であり得る。図１を再び参照すると、測定装置１００はまた、アンテナ１０７による通信を制御する無線マイクロコントローラ１０６を含むことができる。メインマイクロコントローラ１０４及び無線マイクロコントローラ１０６は図１において別々に示されるが、代替的な実施形態における共通マイクロコントローラが、測定装置１００の他の態様に加えて無線通信を制御するために利用され得ることが企図される。
【００２３】
外部処理装置２００はまた、外部処理装置２００が無線で測定装置１００と通信することを可能にするアンテナ２０７を含む。図２に示されるように、測定装置１００及び外部処理装置２００は、例えば、Bluetooth（登録商標）無線技術を介して通信することができる。他の実施形態では、しかしながら、通信は、近距離通信（ＮＦＣ）、高周波（ＲＦ）、パーソナルエリアネットワーク（ＰＡＮ）、Wi-Fi（商標）（IEEE 802.11）などを含む他の無線技術によって確立され得る。代替的に又は追加的に、通信は、有線通信、例えば汎用シリアルバス（ＵＳＢ）、によって確立されもよい。
【００２４】
外部処理装置２００は、外部処理装置２００の態様を一般に制御するプロセッサ２０４を含む。例えば、プロセッサ２０４は、外部処理装置２００にあるソフトウェアアプリケーションを実行するために必要とされる処理を提供する。外部処理装置２００上のメモリ２０５は、このようなソフトウェアアプリケーションのためのコンピュータ可読命令を記憶する。メモリ２０５は、ユーザソフトウェアアプリケーションを記憶するために、例えばフラッシュメモリなどの、不揮発性メモリを含むことができる。
【００２５】
本発明の態様によれば、メモリ２０５は、測定装置１００の操作を補完する健康管理アプリケーション１２のためのコンピュータ可読命令を記憶する。特に、健康管理アプリケーション１２は、上で説明された試験／ロギング特性を提供することができる。例えば、図２に示されるように、外部処理装置２００がスマートデバイス、例えばスマートフォンである場合には、健康管理アプリケーション１２は、ユーザによってスマートデバイス上へダウンロードされてプロセッサ２０４によって実行されるモバイルアプリケーションであり得る。外部処理装置２００は、ユーザからの入力を受けるためにユーザインタフェースを、出力をユーザに提供するためにディスプレイ２０８、スピーカなどを提供する。図２の例では、外部処理装置２００は、入力を受け出力を表示するタッチスクリーンを含む。健康管理アプリケーション１２は、測定装置１００から無線で通信される測定値及び／又は他のデータを、記憶及び／又は処理することができる。いくつかの場合には、健康管理アプリケーション１２は、測定データを統計的に分析して、外部処理装置２００のディスプレイ２０８上に統計的分析の高度な表示を提供することができる。実際、特に外部処理装置２００は測定装置１００より大きい処理及び表示能力を有することができるので、健康管理アプリケーション１２は、測定装置１００だけでは利用できない特性を提供することができる。
【００２６】
いくつかの実施形態では、健康管理アプリケーション１２は、測定装置１００の使用に関する多様な健康管理サービスを提供するプラットフォームにおいて利用される。例えば、測定装置１００を販売／流通させる会社は、測定装置１００を強化する特性及びサービスを提供するために装置の顧客に健康管理アプリケーション１２を提供することができる。測定装置１００は外部処理装置２００に通信で結合され得るので、本発明の態様は、測定装置１００の使用を拡大するために外部処理装置２００上でアプリケーションを利用することができる。例えば、外部処理装置２００にある健康管理アプリケーション１２が試験／ロギング特性を提供するために使用され得るように、測定装置１００は外部処理装置２００に結合され得る。
【００２７】
図１に示されるように、外部処理装置２００は、外部処理装置２００が外部ネットワーク２０に接続することを可能にするネットワークインタフェース２１０を含む。ネットワークインタフェース２１０は、外部ネットワーク２０に接続するために任意の技術を利用することができる。例えば、ネットワークインタフェース２１０は、無線で、例えば、Wi-Fi（商標）（IEEE 802.11）、セルラーなどで、又は有線技術を介して、例えばEthernetなどを介して外部ネットワーク２０と接続することができる。外部ネットワーク２０は、任意の種類のネットワーク、例えば、広域ネットワーク（ＷＡＮ）、ローカルエリアネットワーク（ＬＡＮ）、クラウドなどであり得る。
【００２８】
ネットワークインタフェース２１０によって、外部処理装置２００は、外部ネットワーク２０を通じて利用可能な任意のリソースにアクセスすることができる。特に、外部処理装置２００は、測定装置１００の操作に関するリソースにアクセスすることができる。図１に示されるように、外部処理装置２００は、例えばクラウドネットワークとして示される、外部ネットワーク２０を通じて外部サーバ３０と通信する。外部サーバ３０は、測定装置１００の使用に関する多様な健康管理サービスを提供するいくつかの健康管理プラットフォームに関連付けられる。例えば、外部サーバ３０は、健康管理アプリケーション１２のソースとして機能することができ、外部処理装置２００は、ネットワークインタフェース２１０を介して外部ネットワーク２０を通じて健康管理アプリケーション１２を受信することができる。加えて、ネットワークへアクセス可能な外部サーバ又はクラウドベースサーバは、外部処理装置２００上でネットワークを介して確立されたユーザインタフェースによって健康管理アプリケーションを実際に実行することができる。
【００２９】
外部処理装置２００は外部ネットワーク２０上のリソースに通信で結合され得るので、外部処理装置２００は、任意の外部ソースから、測定装置１００に関連して使用され得るデータを一般に受信することができる。更にまた、外部処理装置２００は測定装置１００に通信で結合され得るので、測定装置１００は、外部ソースからこのようなデータを続いて受信することができる。
【００３０】
図１のシステム１０では、健康管理アプリケーション１２は、以下の任意の組み合わせを提供するために利用され得る：（１）アドヒアランスバースト指示、（２）測定及びロギング処方、（３）事後ロギング、又は（４）電子カレンダ付きのデータ表示。健康管理アプリケーション１２は、例えば、対応する健康データを外部処理装置２００のメモリ２０５に記憶することができ、外部処理装置２００において、健康データは、例えばＨＣＰによって、アクセス及び分析され得る。追加的に又は代替的に、健康データは、健康管理プラットフォームの外部サーバ３０にネットワークインタフェース２１０を介して送信され、外部サーバ３０においてアクセス及び分析され得る。
【００３１】
健康管理アプリケーション１２は、アドヒアランスバースト指示に従って測定を行い及び／又は補足的な健康データのログを取得するようにＰＷＤに指示することができる。アドヒアランスバースト指示は、ＰＷＤが、所定の期間、より頻繁に細部まで血糖の測定を行い及び補足的な健康データのログを取得するのを支援する。この期間は、例えばＨＣＰによって、決定され、その結果、ＰＷＤは、必要より多くの測定を行い多くの健康データのログを取得する必要なく処置計画を立てるために十分な健康データを提供することができる。例えば、ＨＣＰは、ＨＣＰとのＰＷＤの次の約束の直前に、２週間の期間の詳細な健康データを要求するだけであり得る。２週間の期間を通じて頻繁に測定を行い詳細な健康データのログを取得することは、長い期間（例えば数カ月）を通じて行うよりも利便性が高くかつ管理可能であるので、ＰＷＤは、アドヒアランスバースト指示に従いＨＣＰに十分な健康データを提供する可能性が高い。期間がより短くても（例えば、２〜１３日間若しくは４〜１０日間）又は長くても（例えば、３若しくは４週間）よいことが企図される。
【００３２】
加えて、アドヒアランスバースト指示は、利便性を向上させ追随性を高めるために、ＰＷＤ及び彼（女）の生活習慣（すなわちユーザプロフィール）の特定の態様に適応するようにカスタマイズされ得る。このユーザプロフィールの態様は、外部処理装置２００及び／又は外部サーバ３０上の健康管理アプリケーション１２によって収集及び記憶され得る。例えば、ユーザプロフィールは、ユーザが血糖の測定を行うことができない日時（例えば、勤務中の公共交通機関での往復、勤務中の会議など）を指示することができる。
【００３３】
図３を参照すると、アドヒアランスバースト指示を利用する方法３００の例が示される。行為３０５において、所定の期間のアドヒアランスバースト指示スケジュールが受信される。行為３０５（アドヒアランスバースト指示）の初期設定又は継続的ＨＣＰモニタリング及び現場での変更は、様々な方法によって達成され得る。ＰＷＤ又はＨＣＰは、一実施形態では、ＰＷＤモバイルデバイスの健康管理アプリケーション及びユーザインタフェースを使用してアドヒアランスバースト指示を設定することができる。別の実施形態では、ＨＣＰは、同じモバイルデバイス上で又はアドヒアランスバースト指示スケジュールを健康管理アプリケーション１２へ転送する別のプラットフォーム（例えば、モバイルデバイス、コンピュータ、クラウドアプリケーション）上で実行される彼（女）自身のアプリケーションを有することができる。更なる実施形態では、このアドヒアランスバースト設定は、ＨＣＰの情報システム（例えば、実務管理ソフトウェア、病院情報システム、電子健康記録システム、又は電子医療記録システム）の一部であり得る予約スケジュール管理ソフトウェア間のインタフェースによって（大抵人間の承認後に）自動で開始され得る。
【００３４】
アドヒアランスバースト指示スケジュールは、例えば、メモリ２０５上の健康管理アプリケーション１２によって記憶され得る。上で説明されたように、ＨＣＰは、ＰＷＤの処置計画を立てるために十分な時宜を得た健康データを収集するようにアドヒアランスバースト指示スケジュールを決定することができる。行為３１０において、ＰＷＤは、所定の期間を通じて頻繁に測定を行い及び／又は詳細な健康データのログを取得するように指示される。指示は、例えば、外部処理装置２００、例えばディスプレイ２０８を介して、健康管理アプリケーション１２によって伝達され得る。指示は、例えば、時間単位で、食前若しくは食後に、又は任意の他の適切な時間に及び／若しくは間隔で発生し得る。行為３１５において、健康データ（すなわち、血糖データ及び任意の補足的な健康データ）が、工程３１０における指示に応じて受信される。次いで、健康データが、行為３２０において、続く検索及び分析のために記憶される。ＰＷＤは、健康管理アプリケーション１２を介して健康データを入力及び記憶させることができる。
【００３５】
追加的に、健康管理アプリケーション１２は、ＨＣＰによって決定された特定の試験／ロギング処方に従って血糖の測定を行い健康データのログを取得するようにＰＷＤに指示することができる。用語「処方」は、ＰＷＤの動作に又は利用可能なデータを使用するＰＷＤと関連したアプリケーションに影響を与える、ＨＣＰなどの個人からの手引き又は命令を含む。試験／ロギング処方は、ＰＷＤによる測定値及び／又は一定のロギングがＨＣＰによる分析のための健康データの有益なセットを提供する時間及び／又は事象を特定する。アドヒアランスバースト指示のように、ＰＷＤは、処置計画を立てる際にＨＣＰに特に有用な健康データを提供するように指示される。試験／ロギング処方は、ＰＷＤが必要より多くの測定を行い多くの健康データのログを取得することを要求されないように定められ得る。ＰＷＤの試験／ロギングの負担を最小化することによって、ＰＷＤが、試験／ロギング処方に従い必要な健康データをＨＣＰに提供する可能性が高くなる。加えて、試験／ロギング処方は、利便性を向上させ追随性を高めるために、ＰＷＤ及び彼（女）の生活習慣（すなわちユーザプロフィール）の特定の態様に適応するようにカスタマイズされ得る。
【００３６】
カスタム処方ロギングシナリオの初期設定又は継続的ＨＣＰモニタリング及び現場での変更は、様々な方法によって達成され得る。ＰＷＤ又はＨＣＰは、一実施形態では、ＰＷＤ処理装置の健康管理アプリケーション及びユーザインタフェースを使用してカスタム処方ロギングシナリオを設定することができる。別の実施形態では、ＨＣＰは、同じ処理装置上で又は処方ロギング／試験プロトコルを健康管理アプリケーション１２へ転送する別のプラットフォーム（例えば、モバイルデバイス、コンピュータ、クラウドアプリケーション）上で実行される彼（女）自身のアプリケーションを有することができる。更なる実施形態では、この設定は、ＨＣＰの情報システム（例えば、実務管理ソフトウェア、病院情報システム、電子健康記録システム、又は電子医療記録システム）とのインタフェースによって（大抵人間の承認後に）自動で開始され得る。ＨＣＰの誘導を提供する際の利便性及び精度の他に、独立型ＨＣＰアプリケーションの使用はまた、処方試験から収集されたデータを調べかつより正確で手動集約的ではない患者電子医療記録におけるロギング命令を作成するために、データ分析アルゴリズムとシームレスに結合される。
【００３７】
例えば、ＰＷＤが新しいインスリン療法を実施している場合には、ＨＣＰは、ＰＷＤの糖値に対する食事及びインスリン摂取量の影響をモニタすることに特に関心を示してもよい。したがって、測定及びロギング処方を使用して、ＰＷＤは、食前及び食後に測定を行い健康データのログを取得するように指示される。追加的に、ＰＷＤは、ＨＣＰによって決定されたスケジュール通りにインスリン又は他の必要な薬物を摂取するようにリマインダによって指示される。処方に従ってログを取得された健康データは、ＨＣＰがインスリン療法を評価することを可能にする。
【００３８】
別の例では、ＰＷＤは、彼（女）が正常に正午に昼食を取り午後７時に夕食を取ることを示すユーザプロフィールを有することができる。この情報に基づいて、ＨＣＰは、例として、ＰＷＤが午前１１時４５分、午後１時、午後６時４５分、及び午後７時１５分に血糖の測定を行い補足的なデータのログを取得するように指示される処方を作成することができる。当然、他の場合には、ユーザプロフィールは、ユーザが他の適切な時間に指示されることを示すことができる。更に別の例では、ＰＷＤが夜間低血糖で苦労している場合に、ＰＷＤは、晩御飯の間の炭水化物摂取量のログを取得し就寝時に血糖の測定を行うように指示され得る。
【００３９】
図４を参照すると、特定の試験／ロギング処方を利用する方法４００の例が示される。行為４０５において、試験／ロギング処方が、ＨＣＰから受信される。処方は、例えば、メモリ２０５上の健康管理アプリケーション１２によって記憶され得る。上で説明されたように、ＨＣＰは、例えばＰＷＤのための処置計画を提供又は評価するために、時宜を得た十分な健康データを収集するように処方を定めることができる。行為４１０において、ＰＷＤは、処方の要求通りに血糖の測定を行い及び／又は健康データのログを取得するように指示される。指示は、例えば、外部処理装置２００、例えばディスプレイ２０８を介して、健康管理アプリケーション１２によって伝達され得る。行為４１５において、健康データ（すなわち、血糖データ、任意の補足的な健康データ）が、工程４１０における指示に応じて受信される。次いで、健康データが、行為４２０において、続く検索及び分析のために記憶される。ＰＷＤは、健康管理アプリケーション１２を介して健康データを入力及び記憶させることができる。
【００４０】
追加的に、健康管理アプリケーション１２は、ＰＷＤが事後に健康データのログを取得することを可能にする。換言すれば、ＰＷＤは、測定を行う時に健康データ（特に補足的な健康データ）を提供することを要求されない。むしろ、ＰＷＤは、後の都合のいい時に健康データのログを取得することができる。いくつかの場合には、実施形態は、更に血糖データを説明するために補足情報のログが取得されることを必要とする一定の血糖データを能動的に特定することができる。このように、ＰＷＤは、血糖データを分析するために有用な情報を特に提供することができる補足的な健康データを、一定の血糖データのために、提供するように能動的に指示され得る。特に、健康データは、事象、異常、及び他の対象の血糖データを特定するために、及び血糖データのための追加的な健康データのログを事後に取得するようにユーザに指示するために、分析され得る。
【００４１】
事後ロギングシナリオの初期設定又は継続的ＨＣＰモニタリング及び現場での変更は、様々な方法によって達成され得る。ＰＷＤ又はＨＣＰは、一実施形態では、ＰＷＤ処理装置の健康管理アプリケーション及びユーザインタフェースを使用して事後ロギングシナリオを設定することができる。別の実施形態では、ＨＣＰは、同じ処理装置上で又は事後ロギングプロトコルを健康管理アプリケーション１２へ転送する別のプラットフォーム（例えば、モバイルデバイス、コンピュータ、クラウドアプリケーション）上で実行される彼（女）自身のアプリケーションを有することができる。更なる実施形態では、この設定は、ＨＣＰの情報システム（例えば、実務管理ソフトウェア、病院情報システム、電子健康記録システム、又は電子医療記録システム）とのインタフェースによって（大抵人間の承認後に）自動で開始され得る。ＨＣＰの誘導を提供する際の利便性及び精度の他に、独立型ＨＣＰアプリケーションの使用はまた、事後ロギングから収集されたデータを調べて患者電子医療記録をより正確なものにするために、データ分析アルゴリズムとシームレスに結合される。
【００４２】
図５を参照すると、事後ロギングを利用する方法５００の例が示される。行為５０５において、記憶された健康データ（例えば血糖データ）が、補足情報に特定の測定値の分析及び理解のための追加的なコンテキストの提供を要求することができる特定の測定値を特定するために分析される。健康データは、メモリ２０５に記憶され、健康管理アプリケーション１２は、更なる情報に対してＰＷＤに指示するために健康データを分析することができる。いくつかの場合には、パターン認識が、事象、異常、及び他の対象の血糖データを特定するために利用され得る。例えば、ＰＷＤの血糖データが毎朝一貫して一定の範囲内に入る場合、この範囲の外側で著しく減少する値は、値に対する補足情報を要求するＰＷＤへの指示をトリガすることができる。行為５１０において、ＰＷＤは、行為５０５において特定された測定値のための補足的な健康データのログを事後に取得するように指示される。指示は、例えば、外部処理装置２００、例えばディスプレイ２０８を介して、健康管理アプリケーション１２によって伝達され得る。行為５１５において、補足的な健康データが、工程５１０における指示に応じて受信される。次いで、補足的な健康データが、行為５２０において、続く検索及び分析のために記憶される。ＰＷＤは、健康管理アプリケーション１２を介して補足的な健康データを入力及び記憶させることができる。
【００４３】
例えば、健康データの分析でＰＷＤが朝低血糖であることが明らかとなる場合、行為５０５は、対応する補足的な健康データを有しない夕方に行われた測定の測定値を特定することができる。この補足的な健康データは、ＰＷＤが朝に低血糖値を経験している理由をＨＣＰが決定するのを支援することができる。補足的な健康データとしては、例えば、ＰＷＤの晩御飯（例えば炭水化物摂取量）に関する情報、ＰＷＤの就寝時刻、又は対象の血糖データに対するコンテキストを提供することができる任意の他の情報を挙げることができる。
【００４４】
図６Ａ〜Ｂを参照すると、健康管理アプリケーション１２により、ＰＷＤは、補足情報を提供する際に役立つように彼（女）のパーソナル電子カレンダに記憶された情報を使用することが可能となる。特に、外部処理装置２００がスマートデバイス、例えばスマートフォンである場合、健康管理アプリケーション１２は、このようなデバイス上で通常利用可能なカレンダアプリケーションにアクセスすることができる。補足的な健康のログを取得する利便性を向上させるために、実施形態は、ＰＷＤが彼（女）の電子カレンダからの情報と共に血糖データを視認することを可能にする。ＰＷＤが既に慣れ親しんでいる可能性が高いカレンダプログラムを使用することが可能となるので、ログを取得した健康データを彼（女）の電子カレンダと共に視認可能にすることは、特に利便性が高い。図６Ａに示されるように、実施形態は、オーバレイとして電子カレンダ上に血糖データをグラフィック表示することができる。代替的に、図６Ｂに示されるように、実施形態は、並列に血糖データを表示することができる。実施形態はまた、（例えば、テキスト及び／又は記号による）カレンダ項目の利便性の高いマークが、容易に特定され、かつ対応する血糖データ（適切な日付、及びタイムスタンプ）と対にされることを可能にし得る。例えば、カレンダ項目は、項目を血糖測定値と関連付けるためにハッシュタグによってマークされ得る。
【００４５】
ある実施態様では、ＰＷＤは、カレンダアプリケーションを介して測定を行い及び／又は健康データのログを取得するように指示を受けることができる。これらのリマインダは正常なカレンダインタフェースを使用して表示され、ユーザが利便性高くリマインダを受信することが可能となる。指示は、例えば、アドヒアランスバースト指示、試験／ロギング処方指示、事後ロギング指示、又は任意の他の関連するロギング指示を含むことができる。ユーザのカレンダアプリケーションを介して指示を受けることに加えて、ある実施態様では、ＰＷＤは、健康管理アプリケーション１２によって次いでアクセスされ得るカレンダアプリケーションに直接データのログを取得することができる。
【００４６】
上の例では、測定装置１００（例えば血糖計）が外部処理装置２００（例えばスマートデバイス）に無線で（例えばBluetooth（登録商標）を介して）結合され、外部処理装置２００にある健康管理アプリケーション１２（例えばモバイルアプリケーション）が健康管理データのログを取得し健康管理データを記憶及び視認するために使用される、システム１０が利用される。本発明の態様は外部処理装置上で実行される健康管理アプリケーション１２により実施され得るが、いくつかの態様が代替的に又は追加的に独立型測定装置上で（すなわち、外部処理装置に結合されずに）実施され得ることが理解される。
【００４７】
例えば、測定装置は、少なくとも１つのメモリ装置、プロセッサ、及びユーザインタフェースを含むことができる。測定装置の少なくとも１つのメモリ装置は、１つ以上の測定値及び健康管理アプリケーションのためのコンピュータ可読命令を記憶する。測定装置のメモリに記憶された健康管理アプリケーションは、（１）アドヒアランスバースト指示、（２）測定及びロギング処方、（３）事後ロギング、並びに／又は（４）電子カレンダ付きのデータ表示に従ってユーザが補足的なデータを入力することを可能にする。健康管理アプリケーションは、測定を行いこれらの特性の多様な態様に従って補足的なデータを入力するようにユーザに指示することができる。したがって、システム実施形態（処理装置及び測定装置）において上で説明された健康管理アプリケーションの機能性が、測定装置だけを有する機器において使用され得る。
【００４８】
加えて、上の例は一般に糖尿病管理に関するが、本発明の態様は、他の慢性疾患及び長期処置管理用途に適用され得る。例えば、心臓モニタ及び植え込み型除細動器を有した患者のために、ＨＣＰが良好に医療装置の性能を分析し必要な調整を行うことができるように、健康管理アプリケーションは、各々の訪問前の一定期間にわたって慎重に薬物、運動、及び他の関連する情報のログを取得するように患者に指示することができる。同様に、指示が特定の患者及びそれらの臨床的状況に合わせられるように、健康管理アプリケーションはプログラムされ得る。人々には限られた期間アドヒアランスの高い時期が存在する。ＨＣＰは、アドヒアランスバースト活動に従事するよう患者に要求する能力を活かすように本発明の態様を使用することができる：例えば、
・初診のときに
・妊娠中に
・新年の抱負に
・治療中におかしな点又は普通ではない点が現れたときに
・医師予約の直前又は直後に
【００４９】
本発明の態様はまた、個人の治療及びアドヒアランスプロフィールに合わせることを可能にし得る：
・自動指示
・リマインダ
・一般的なユーザインタフェースフロー
【００５０】
本発明は様々な修正及び代替形式が可能であるが、具体的な実施形態及びその方法が、例として図面に示され、本明細書において詳細に説明される。しかしながら、開示された特定の形式又は方法に本発明を限定することを意図しておらず、反対に、本発明が本発明の趣旨及び範囲内にあるすべての修正物、等価物、及び代替物を網羅することを理解すべきである。
【図１】
2020184379.tif 000003
【図２】
2020184379.tif 000004
【図３】
2020184379.tif 000005
【図４】
2020184379.tif 000006
【図５】
2020184379.tif 000007
【図６Ａ】
2020184379.tif 000008
【図６Ｂ】
2020184379.tif 000009
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
健康データのロギングのためのシステムであって、
前記システムが、
健康特徴の測定値を取得するように構成された測定装置と、
前記測定装置から前記測定値を受信し、少なくとも１つのメモリ装置、プロセッサ、及びユーザインタフェースを含む、前記測定装置に通信で結合された処理装置であり、
前記少なくとも１つのメモリ装置が、前記測定値、複数の先行測定値、及び健康管理アプリケーションのためのコンピュータ可読命令を記憶し、
前記プロセッサが、前記健康管理アプリケーションを実行し、
前記健康管理アプリケーションが、前記ユーザインタフェースを介して、前記測定値と関連した補足的な健康データを表示し、１つ以上の測定値と関連した前記補足的な健康データを受ける、
前記処理装置と、
を含み、
前記処理装置が、前記複数の先行測定値の１つ以上の測定値の第１のセットを特定するために前記複数の先行測定値を分析するように構成され、
前記健康管理アプリケーションが、前記複数の先行測定値の１つ以上の測定値の第２のセットに関する補足的な健康データを入力するように前記ユーザに指示するように構成され、
前記複数の先行測定値の１つ以上の測定値の第２のセットに関する補足的な健康データが、前記複数の先行測定値の１つ以上の測定値の第１のセットに関する情報を提供するように構成される、
前記システム。
【請求項２】
前記少なくとも１つのメモリ装置が、スケジュールを記憶し、
前記健康管理アプリケーションが、前記スケジュールに従って前記測定値を取得して前記補足的な健康データを入力するように前記ユーザに指示する、
請求項１に記載のシステム。
【請求項３】
前記少なくとも１つのメモリ装置が、未来の日付を記憶し、
前記健康管理アプリケーションが、前記未来の日付の前までの第１の期間の間の第１のスケジュールに従って１つ以上の測定値の第１のセットを取得するように前記ユーザに指示するように構成され、
前記健康管理アプリケーションが、前記少なくとも１つのメモリ装置が前記未来の日付を受けたことに対応して、前記未来の日付の前までの第２の期間の間の第２のスケジュールに従って１つ以上の測定値の第２のセットを取得するように前記ユーザに指示するように構成され、
前記健康管理アプリケーションが、前記第２の期間の間に、前記第１の期間の間よりもより頻繁に前記ユーザに指示するように構成される、
請求項２に記載のシステム。
【請求項４】
前記未来の日付が、医療提供者と予約した日の日付であり、
前記第２の期間が、前記第１の期間よりも前記未来の日付により近い、
請求項３に記載のシステム。
【請求項５】
前記少なくとも１つのメモリ装置が、前記スケジュールを記憶するシステムであって、
前記スケジュールが、前記複数の先行測定値に基づいて定められる、
請求項２に記載のシステム。
【請求項６】
前記少なくとも１つのメモリ装置が、処方を記憶し、
前記健康管理アプリケーションが、前記ユーザに、測定値を取得させるように指示し、前記処方に従って前記補足的なデータを入力させ、前記処方が、日付、時間、事象、又はこれらの組み合わせに従って定められる、
請求項１に記載のシステム。
【請求項７】
前記事象が、身体活動、薬物摂取量、炭水化物摂取量、又は任意のこれらの組み合わせを含む、
請求項６に記載のシステム。
【請求項８】
前記測定装置が、前記処理装置と無線で通信する、
請求項１に記載のシステム。
【請求項９】
健康データのロギングのためのシステムであって、
前記システムが、
健康特徴の測定値を取得するように構成された測定装置と、
測定装置から前記測定値を受信し、少なくとも１つのメモリ装置、プロセッサ、及びユーザインタフェースを含む、前記測定装置に通信で結合された処理装置であり、
前記少なくとも１つのメモリ装置が、前記測定値及び健康管理アプリケーションのためのコンピュータ可読命令を記憶し、
前記プロセッサが、前記健康管理アプリケーションを実行し、
前記健康管理アプリケーションが、前記ユーザインタフェースを介して、前記測定値と関連した補足的な健康データを表示し、１つ以上の測定値と関連した前記補足的な健康データを受ける、
前記処理装置と、
を含み、
前記少なくとも１つのメモリ装置が、複数の先行測定値を記憶して追加の補足的な健康データの事後登録のための１つ以上の先行測定値を特定し、
前記健康管理アプリケーションが、事後に前記追加の補足的な健康データを登録するように前記ユーザに指示する、
前記システム。
【請求項１０】
健康データのロギングのためのシステムであって、
前記システムが、
健康特徴の測定値を取得するように構成された測定装置と、
測定装置から前記測定値を受信し、少なくとも１つのメモリ装置、プロセッサ、及びユーザインタフェースを含む、前記測定装置に通信で結合された処理装置であり、前記少なくとも１つのメモリ装置が、前記測定値及び健康管理アプリケーションのためのコンピュータ可読命令を記憶し、前記プロセッサが、前記健康管理アプリケーションを実行し、前記健康管理アプリケーションが、前記ユーザインタフェースを介して、前記測定値と関連した補足的な健康データを表示し、１つ以上の測定値と関連した前記補足的な健康データを受ける、前記処理装置と、
を含み、
前記少なくとも１つのメモリ装置が、前記測定値の前に取得された複数の先行測定値を記憶し、
前記健康管理アプリケーションが、前記複数の先行測定値の分析に従って測定値を取得して前記補足的な健康データを入力するように前記ユーザに指示する、
前記システム。
【請求項１１】
前記少なくとも１つのメモリ装置が、カレンダアプリケーションのためのコンピュータ可読命令及び対応するカレンダデータを記憶し、
前記プロセッサが、前記カレンダアプリケーションを実行し、
前記健康管理アプリケーションが、前記カレンダデータに基づいて前記補足的な健康データを入力するように前記ユーザに指示する、
請求項１に記載のシステム。
【請求項１２】
健康データのロギングのための機器であって、
前記機器が、
健康特徴の測定値を取得するように構成され、少なくとも１つのメモリ装置、プロセッサ、及びユーザインタフェースを含む測定装置であって、
前記少なくとも１つのメモリ装置が、前記測定値、前記複数の先行測定値、及び健康管理アプリケーションのためのコンピュータ可読命令を記憶し、
前記プロセッサが、前記健康管理アプリケーションを実行し、
前記健康管理アプリケーションが、前記ユーザインタフェースを介して、前記測定値と関連した補足的な健康データを表示し、１つ以上の測定値と関連した前記補足的な健康データを受ける、
前記測定装置を含み、
前記測定装置が、前記複数の先行測定値の１つ以上の測定値の第１のセットを特定するために前記複数の先行測定値を分析するように構成され、
前記健康管理アプリケーションが、前記複数の先行測定値の１つ以上の測定値の第２のセットに関する補足的な健康データを入力するように前記ユーザに指示するように構成され、
前記複数の先行測定値の１つ以上の測定値の第２のセットに関する補足的な健康データが、前記複数の先行測定値の１つ以上の測定値の第１のセットに関する情報を提供するように構成される、
前記機器。
【請求項１３】
健康データのロギングのための機器であって、
前記機器が、
健康特徴の測定値を取得するように構成され、少なくとも１つのメモリ装置、プロセッサ、及びユーザインタフェースを含む測定装置であって、
前記少なくとも１つのメモリ装置が、前記測定値及び健康管理アプリケーションのためのコンピュータ可読命令を記憶し、
前記プロセッサが、前記健康管理アプリケーションを実行し、
前記健康管理アプリケーションが、前記ユーザインタフェースを介して、前記測定値と関連した補足的な健康データを表示し、１つ以上の測定値と関連した前記補足的な健康データを受ける、
前記測定装置を含み、
前記少なくとも１つのメモリ装置が、複数の先行測定値を記憶して追加の補足的な健康データの事後登録のための１つ以上の先行測定値を特定し、
前記健康管理アプリケーションが、事後に前記追加の補足的な健康データを登録するように前記ユーザに指示する、
前記機器。
【請求項１４】
健康データのロギングのための機器であって、
前記機器が、
健康特徴の測定値を取得するように構成され、少なくとも１つのメモリ装置、プロセッサ、及びユーザインタフェースを含む測定装置であって、
前記少なくとも１つのメモリ装置が、前記測定値及び健康管理アプリケーションのためのコンピュータ可読命令を記憶し、
前記プロセッサが、前記健康管理アプリケーションを実行し、
前記健康管理アプリケーションが、前記ユーザインタフェースを介して、前記測定値と関連した補足的な健康データを表示し、１つ以上の測定値と関連した前記補足的な健康データを受ける、
前記測定装置を含み、
前記少なくとも１つのメモリ装置が、複数の先行測定値を記憶し、
前記健康管理アプリケーションが、前記複数の先行測定値の分析に従って測定値を取得して前記補足的な健康データを入力するように前記ユーザに指示する、
前記機器。
【外国語明細書】
2020184379000001.pdf